(57)【特許請求の範囲】
【請求項１】
液状化粧料収納用の中皿(３０)を内蔵しており、
中皿(３０)は、底板(３２)の外周部から中皿周壁(３６)を起立する中皿本体と、中皿周壁(３６)の上端開口に張設した伸縮可能な蓋材(４４)とを含み、かつ上記底板(３２)の中央部に開口した充填口(３５)に栓体(７４)を密閉してなり、上側からの蓋材(４４)の圧接により液状化粧料を透過可能に形成されており、
上記中皿(３０)内に、液状化粧料の移動を邪魔する邪魔手段(Ｂ)を固定しており、
邪魔手段(Ｂ)は、それぞれ液状化粧料と接して妨げる複数の摩擦部を含み、これら摩擦部を、中皿(３０)の内面の一部に密集させて当該内面から中皿(３０)の内部へ突入させた複数の柔軟な突起部として形成した中皿内蔵式のコンパクト容器において、
上記突起部として、基端部を中皿(３０)の底板(３２)に固定させて底板(３２)から起立した下側突起部(３３)と、基端部を中皿(３０)の蓋材(４４)に固定させて蓋材(４４)から垂下した上側突起部(５４)とを設けたことを特徴とする、中皿内蔵式のコンパクト容器。
【請求項２】
上記中皿(３０)を収納する収納凹部(１２)を有する容器本体(２)と、容器本体(２)の上面を開閉可能な蓋部材(２０)とを有し、収納凹部(１２)に中皿(３０)を固定するとともに、中皿(３０)の蓋材(４４)の上面を気密に閉塞する閉塞具(６０)を設け、閉塞具(６０)の裏面に植毛部(６４)を設けたことを特徴とする、請求項１に記載の中皿内蔵式のコンパクト容器。
【発明の詳細な説明】
【技術分野】
【０００１】
本発明は、中皿内蔵式のコンパクト容器に関する。
【背景技術】
【０００２】
コンパクト容器の内部に中皿を設けたものが知られている（特許文献１）。
中皿に液状化粧料を充填することは従来行われている（同文献の段落００４５参照）。
また中皿の開口部にメッシュなどの膜状の蓋材を張設して、膜材を介して化粧料を取り出すことも公知である（同文献の段落０００２参照）。
【先行技術文献】
【特許文献】
【０００３】
【特許文献１】特開２０１１−７２６４１
【発明の概要】
【発明が解決しようとする課題】
【０００４】
液状化粧料をコンパクト容器の中皿に収納すると、コンパクト容器を持ち運ぶ際に予期せぬ外力が作用して、液状化粧料が中皿内を移動し、中皿の片側に寄ってしまうおそれがあった。
また中皿の開口部を覆う蓋材をパフで押して内容物を取り出すときに、その押込みが強すぎると、液状化粧料が中皿内で激しく移動し、蓋材を経て外に飛び散る可能性があった。
【０００５】
本発明の目的は、中皿内の液状化粧料の移動を邪魔する邪魔手段を設けた中皿内蔵式のコンパクト容器を提案することである。
【課題を解決するための手段】
【０００６】
第１の手段は、液状化粧料収納用の中皿３０を内蔵しており、
中皿３０は、底板３２の外周部から中皿周壁３６を起立する中皿本体と、中皿周壁３６の上端開口に張設した伸縮可能な蓋材４４とを含み、かつ上記底板３２の中央部に開口した充填口３５に栓体７４を密閉してなり、上側からの蓋材４４の圧接により液状化粧料を透過可能に形成されており、
上記中皿３０内に、液状化粧料の移動を邪魔する邪魔手段Ｂを固定しており、
邪魔手段Ｂは、それぞれ液状化粧料と接して妨げる複数の摩擦部を含み、これら摩擦部を、中皿３０の内面の一部に密集させて当該内面から中皿３０の内部へ突入させた複数の柔軟な突起部として形成した中皿内蔵式のコンパクト容器において、
上記突起部として、基端部を中皿３０の底板３２に固定させて底板３２から起立した下側突起部３３と、基端部を中皿３０の蓋材４４に固定させて蓋材４４から垂下した上側突起部５４とを設けた。
【０００７】
本手段では、コンパクト容器の中皿３０内に液状化粧料の移動を妨げる邪魔手段Ｂを設けることを提案している。邪魔手段Ｂの仕組みは、中皿内に固定された邪魔手段Ｂの摩擦部が液状化粧料と接しており、外力の作用により液状化粧料が移動しようとすると、摩擦力により液状化粧料の動きを妨げるということである。液状化粧料と接している部分が液状化粧料とともに移動すると意味がないので、邪魔手段Ｂは中皿内に固定されている。
また底板３２に開口した充填口３５を栓体７４で密閉しているから、この栓体７４を取り外し、邪魔部材を内蔵した中皿３０内へ上記充填口を介して内容物を充填することができる。
【０００８】
“邪魔手段”は、棒状又は毛状の突起部を含むものとすればよい。邪魔手段を収納することで、中皿の内表面から離れたところで液状化粧料との摩擦面が増え、摩擦抵抗が増加する。
“邪魔手段を固定する”という意味は、液状化粧料との間での摩擦抵抗を確保するためであるので、邪魔手段が中皿に対して着脱自在な物でも構わない。
「固定」といっても、邪魔手段の全体が中皿に対して動かないという意味ではない。例えば中皿の内面から突設する突起部では、先端側が液状化粧料の移動とともに揺動しても、ある程度の摩擦力は生ずるので、邪魔手段としての機能を発揮する。
【００１０】
また本手段では、邪魔手段Ｂの摩擦部として、中皿３０の内面から複数の柔軟な突起部を突設することを提案している（例えば図１、図５参照）。これにより、液状化粧料の流れの領域のうち中皿３０の内面と接する境界部分を超えて、領域の中心部分（流れが活発な部分）へ突起部の摩擦面が到達するので、液状化粧料の移動抑止効果が高まる。この効果を発揮するためには、突起部の突設箇所は底板上面・蓋材下面・中皿周壁の何れでもよく、突入向きも限定されない。
しかしながら、本手段では、前記突起部として、下側突起部３３及び上側突起部５４を設けることを提案している。
下側突起部３３を、図５に示す如く、中皿３０の底板３２から起立しており、かつ上側突起部５４を中皿３０の蓋材４４の下面から垂下したから、液状化粧料の移動を効果的に規制できる。また下側突起部３３の基端部を中皿３０の底板３２に固定したから、下側突起部を長くしても、それら突起部を安定して支持できる。
また中皿３０の底板３２側と蓋材４４側の双方から突起部を突設できるので、突起部の長さをそれほど長くしなくても、中皿３０内の液状化粧料のほぼ全部に対して移動規制作用を発揮できる。
【００１７】
第２の手段は、第１の手段を有し、かつ
上記中皿３０を収納する収納凹部１２を有する容器本体２と、容器本体２の上面を開閉可能な蓋部材２０とを有し、収納凹部１２に中皿３０を固定するとともに、中皿３０の蓋材４４の上面を気密に閉塞する閉塞具６０を設け、閉塞具６０の裏面に植毛部６４を設けている。
【００１８】
本手段は、図１に示すように中皿３０の蓋材４４の上面を気密に閉塞する閉塞具６０の裏面に植毛部６４を設けている。これにより、液状化粧料が不意に蓋材４４から噴き出して周囲を汚すことを防止できる。
【発明の効果】
【００２１】
第１の手段に係る発明によれば、底板３２の外周部から起立する中皿周壁３６の上端開口に蓋材４４を張設させてなる中皿３０の内部に液状化粧料の移動を邪魔する邪魔手段Ｂを装備したから、コンパクト容器を持ち歩くときに中皿内の液状化粧料の片寄りを低減できる。
また底板３２に開口した充填口３５を栓体７４で密閉しているから、この栓体７４を取り外し、かつ中皿を上下反転させた状態で、邪魔部材を内蔵した中皿３０内へ上記充填口を介して内容物を充填することができる。
また第１の手段に係る発明によれば、中皿３０の内面に、液状化粧料との摩擦部である複数の柔軟な突起部を密集して設けたから、突起部の密度次第で液状化粧料への移動規制力を設定することが容易である。
さらにまた第１の手段に係る発明によれば、下側突起部３３を中皿３０の底板３２に、また上側突起部５４を蓋材４４に設けたから、液状化粧料の移動を規制することで液状化粧料の片寄りを回避し易い。
第２の手段に係る発明によれば、中皿３０の蓋材４４の上面を気密に閉塞する閉塞具６０を設け、閉塞具６０の裏面に植毛部６４を設けたから、蓋材４４を透過した液状化粧料の漏れ出しを防止できる。
【図面の簡単な説明】
【００２２】
【図１】本発明の第１参考例に係る中皿内蔵式のコンパクト容器の正面方向から見た縦断面図である。
【図２】図１のコンパクト容器の一部を切り欠いて示す平面図である。
【図３】図１のコンパクト容器の側面方向から見た縦断面図である。
【図４】図１のコンパクト容器の中皿の充填の手順を示す説明図である。
【図５】本発明の第１実施形態に係るコンパクト容器を側方から見た縦断面図である。
【図６】本発明の第２実施形態に係る中皿内蔵式のコンパクト容器の正面方向から見た縦断面図である。
【図７】本発明の第２参考例に係る中皿内蔵式のコンパクト容器の正面方向から見た縦断面図である。
【図８】本発明の実施例に係る中皿の蓋材の断面図である。
【図９】図８の蓋材を組み込んだコンパクト容器（第３参考例）の正面方向から見た断面図である。
【図１０】図９のコンパクト容器の一部を切り欠いて示す平面図である。
【図１１】図９のコンパクト容器の側方から見た断面図である。
【図１２】図９のコンパクト容器の第１変形例を正面方向から見た断面図である。
【図１３】図９のコンパクト容器の第２変形例を正面方向から見た断面図である。
【発明を実施するための最良の形態】
【００２３】
図１から図４は、本発明の第１参考例に係るコンパクト容器を示している。このコンパクト容器は、容器本体２と、蓋部材２０と、押釦２８と、中皿３０と、閉塞具６０とで形成されている。これら各部材は、例えば合成樹脂材で形成することができる。
【００２４】
容器本体２は、本体底壁４の外周部から本体周壁６を起立している。本明細書では、便宜的に図２の下方を“前方”と、同図の上方を“後方”と、前後の方向と直交する方向を、“左右”方向と称する。本参考例では、本体周壁６のうち後壁部の中間部を切り欠き、その切欠きの左右両端に、第１軸受部１８を形成している（図３参照）。また本体周壁６の前壁部前面には、押釦収納用凹部８を凹設する（図２参照）。さらに本参考例では、本体周壁６の内部の空間を前後方向に横断する仕切り壁１０を形成し、内部空間の一方半部を中皿用収納凹部１２とし、他方半部をパフ用収納凹部１４としている。本体周壁６のうち中皿用収納凹部１２を画成する部分の内面及び仕切り壁１０の内面には、凸状の第１係合部１６を横設している。これらの構造は、適宜変更することができる。
【００２５】
蓋部材２０は、蓋頂壁部２２の外周部から蓋周壁部２４を垂下している。そして蓋周壁部２４の下端部を本体周壁６の上に載置させ、かつ蓋周壁部２４の後壁部の一部を下方へ延長して、この延長壁部の下端部を第１軸部２６とし、前述の第１軸受部１８に対して蓋部材の揺動可能に軸着している（図３参照）。
【００２６】
上記蓋頂壁部２２の前部には、図３に示す如く、前部下面から垂下する係合板の下部後面に爪部２３ａを付設してなる係合片２３を設ける。
【００２７】
押釦２８は、上記押釦収納用凹部８内に前方付勢状態で収納されており、蓋頂壁部から垂下するフックと係合して蓋部材２０をロックするとともに、前方付勢力に抗して後方へ押し込まれることでフックとの係合が解け、蓋部材２０が開くように構成している。この押釦２８は、従来公知のものである。
【００２８】
中皿３０は、図１に示す如く、底板３２の外周部から中皿周壁３６を起立する中皿本体を有し、かつ中皿周壁３６の上端開口を蓋材４４で密閉してなる。また、図示例では、上記底板３２の中央部に充填口３５を開口し、この充填口３５を栓体７４で密閉している。上記底板３２から中皿周壁３６への連結部分は、縦断面でみて弯曲している。中皿周壁３６の上端部外面には係合突部３８を付設している。中皿３０の下面外周部には、本体底壁４との当接するための脚部Ｆを付設している。  
【００２９】
上記中皿周壁３６からは、中皿用収納凹部１２に対応した平面形状を有する鍔部４０を外方突出している。鍔部４０の外端には第２係合部４２を周設しており、この第２係合部４２を第１係合部１６に嵌着することで中皿３０を容器本体２に固定している。図示の第２係合部４２は、第１係合部１６を上下方向から挟み付けるように形成しているが、その構造は適宜変更することができる。鍔部４０の前部には、図３に示すように、係合孔４１を穿設している。また鍔部４０の後部上面には、図２に示すように、左右一対の第２軸受部４３を形成している。
【００３０】
上記栓体７４は、有頂筒状の栓筒部７６の下端にプルリング８０を付設してなる。
【００３１】
上記蓋材４４は、中皿周壁３６の上端部外面に嵌着した環状基部５０を有し、この環状基部５０の内側に伸縮部材４５を張設している。また伸縮部材４５の下面から中皿周壁３６の上端部内面に当接する嵌着筒部４８を垂下しており、これら嵌着筒部４８と環状基部５０とでシール部４６を形成している。図示例の環状基部５０は断面形状で二股形状に形成されており、後述の閉塞筒部６６と中皿周壁３６との間で挟持されるように形成している。
【００３２】
上記伸縮部材４５には、複数のスリット５２が穿設されている。各スリット５２は、常時は閉じており、パフなどで上方から伸縮部材が圧接されて伸長したときに開くようにしている。
【００３３】
本発明では、中皿３０内面から複数の突起部をある程度密集させて内方へ突設することで、液状化粧料の移動を邪魔する邪魔部材Ｂを形成している。密集の程度は液状化粧料の粘度などに応じて定める。突起部の突入方向は縦方向が効果的である。全ての方向に対して液状化粧料の横向きの移動を規制できるからである。本明細書で「縦方向」というときには斜め縦方向を含むものとする。もっとも突起部を横方向とした構造も本発明の技術的範囲に含まれる。
【００３４】
上記突起部の配置箇所及び形態は、適宜変更することができる。
突起部の配置箇所に関して述べると、本参考例の突起部は、中皿の底板３２及び栓体７４の上部から起立する下側突起部３３である。
また突起部の形態に言及すると、本参考例の突起部は、棒状の形態、すなわち一定の太さを有する邪魔棒の形態である。図示例では、底板３２の上面から中皿周壁に亘って敷設したマット３４、及び、栓体７４の頂部に設置したマット３４からそれぞれ邪魔棒３３Ａを起立すればよい。エラストマーなどの弾性材料を用いて成形することができる。邪魔棒は、伸縮部材４５を下方へ圧接して液状化粧料を取り出す作業を妨げないように弾性変形可能に設ける。図示の邪魔棒３３Ａは、相互に平行であり、一定のピッチで配置されており、長さや太さも一定であるが、その構造は適宜変更することができる。
【００３５】
エラストマーで形成された下側突起部３３Ａについては、接着、固定、或いはインサート成形により中皿と一体的に形成することができる。
下側突起部は、中皿に直接形成してもよい。
また、下側突起部は、中皿の下半分付近まで形成することが好ましい。すなわち、下側突起部が変形しない場合、伸縮部材を押し下げた際、押しずらくならない程度が望ましい。もっとも、下側突起部は中皿の上端部から下端部まで形成してもよい。
【００３６】
図示例の邪魔棒３３Ａは、中皿３０の内部空間の高さの半分程度まで延びている。本参考例のように突起部の突入方向を縦方向とすると、突起部を設ける領域の高さを調整し易いので、有利である。後述の如く蓋材から突起部を垂下する場合も同様である。
【００３７】
閉塞具６０は、中皿３０の蓋材４４を覆う閉塞板部６２の外周部から閉塞筒部６６を垂下しており、蓋材４４の上面を気密に閉塞するようにしている。図２に示す如く、閉塞筒部６６の後壁部からは連結板６８を後方突出しており、連結板６８の後端部に第２軸部７０を形成する。この第２軸部７０を第２軸受部４３に軸着させ、第２軸部７０を中心として閉塞具６０を回動することができるように形成している。  
【００３８】
上記閉塞板部６２の前端からは掛止片６３を前方突出している。また図３に示す如く閉塞筒部６６の前端部からは係合子６７を垂下して、鍔部４０の係合孔４１に着脱自在に嵌着させている。
【００３９】
上記閉塞板部６２の下面には植毛部６４を設ける。植毛部６４は、静電植毛加工により形成することができる。閉塞板部６２で密閉された空間内に植毛するので、空気の出入りが規制され、従って中皿３０内の液状化粧料がスリット５２を介して飛び出し、周囲を汚すことを防止できる。
【００４０】
上記構成によれば、中皿３０内に液状化粧料の移動を規制する邪魔手段Ｂを設けたから、コンパクト容器を携帯するときの外部からの衝撃などにより液体化粧料が例えば横方向に片寄ってしまうことを防止できる。コンパクト容器を使用するときには、押釦２８を後方へ押して蓋部材２０の前部を引き上げ、回動させる。そうすると、係合片２３の爪部２３ａが掛止片６３にひっかかり、閉塞具６０を中皿３０の上面から離脱させる。そしてパフ１００を上側から伸縮部材４５に圧接してスリット５２から取り出すとよい。
【００４１】
中皿３０内の液状化粧料を使い切って再補充するときには、閉塞具６０を付設したままで中皿３０を取り出し、図４に示すように上下反転させて、栓体７４のプルリング８０を持って引き上げ、栓体７４を充填口３５から外す。そして充填口３５からリフィル容器の詰め替え用化粧料を充填すればよい。充填作業が終了したら、栓体７４で充填口３５を閉じればよい。
【００４２】
図５は、本発明の第１実施形態であり、邪魔手段Ｂの突起部を蓋材４４の裏面にも設けることで液状化粧料が片寄ることを回避するものである。図示例では、中皿３０の底板３２側から下側突起部３３を起立しており、下側突起部３３の上端と蓋材４４との間の空間について、上側突起部５４で液状化粧料の移動・片寄りを規制している。液状化粧料の片寄りは何れの方向にも起こり得るので、下側突起部３３は、蓋材４４全体に亘って設けることが望ましい。
【００４３】
以下、本発明の他の実施形態、参考例又は実施例について説明する。これらの説明において、第１参考例と同じ構成については解説を省略する。
【００４４】
図６は、本発明の第２実施形態に係るコンパクト容器を示している。この実施形態では、邪魔手段Ｂを構成する下側突起部として、毛状の突起部３３Ｂを用いている。こうした突起部は、例えば静電植毛加工により中皿の内面に固定できる。多数の毛状突起部の表面で液状化粧料との摩擦を生じ、液状化粧料の移動を規制することができる。第１実施形態の図５実施例と同様に上側突起部と組み合わせることができる。
【００４５】
図７は、本発明の第２参考例に係るコンパクト容器を示している。この参考例では、邪魔手段Ｂとして、ウレタンや不織布などの多孔質材料を用いている。多孔質材料中の気泡が外部と連通しているので、液状化粧料が染み込み、気泡の構成物質との摩擦を生ずるため、液状化粧料の移動を極力小さくすることができる。多孔質材料は、中皿周壁への嵌合、接着などの適当な手段により中皿に固定するものとする。
【００４６】
図８は、本発明の実施例に係るコンパクト容器用中栓の蓋材を、図９から図１３は、この蓋材を用いたコンパクト容器であって、蓋材から内容液の飛び散りを防止するものを示している。前記蓋材は、中皿内へ突入する突起部により内容液の動きを規制するという作用が先の実施形態と同じであるため、構造的にも共通点が多い。しかし内容液の飛び散り防止という狙いが異なるために、別途の実施例として説明する。
なお、前記図９から図１２に示す中皿の構成は第３参考例である。
【００４７】
本参考例では、伸縮部材４５を上から強く押したときに伸縮部材４５のスリット５２から内容物が飛び出すことを防止するという現象を防止するために、伸縮部材４５から垂下した上側突起部５４を用いている。すなわち、これら上側突起部５４は、スリット形成箇所の近傍に合ってスリット５２へ向かう液体化粧料の勢いを弱める作用を有する。
【００４８】
第１参考例では、スリットと突起部との位置関係は特に問題にはならない。他方、本参考例では、例えばスリットが一つだけであれば、スリット５２を囲むように上側突起部５４を形成しておけば、それ以外の場所に上側突起部を設けなくても構わない。なお、図１０では、下側突起の位置を点で表しているが、作図の都合上、点の数を大幅に省略して描いている。
【００４９】
図９から図１１までの参考例では、上側突起部として静電植毛などによる毛状の突起部を採用している。
図１２は、毛状の突起部であってより長いものを用いた例である。
図１３は、上側突起部として、マットと一体成形した棒状の突起部を用いた例である。なお、図１３の栓体７４は栓筒部７６の下端に外向きフランジ７８を付設している。なお、エラストマーで形成された上側突起部については、接着、固定、或いはインサート成形により蓋材と一体的に形成することができる。
【符号の説明】
【００５０】
２…容器本体  ４…本体底壁  ６…本体周壁  ８…押釦収納用凹部
１０…仕切り壁  １２…中皿用収納凹部  １４…パフ用収納凹部
１６…第１係合部  １８…第１軸受部  
２０…蓋部材  ２２…蓋頂壁部  ２３…係合片  ２３ａ…爪部
２４…蓋周壁部  ２６…第１軸部
２８…押釦
３０…中皿  ３２…底板  ３３…下側突起部  ３３Ａ…邪魔棒
３４…マット
３５…充填口  ３５ａ…係止用口筒部    
３６…中皿周壁  
３８…係合突部  
４０…鍔部  ４１…係合孔  
４２…第２係合部  ４３…第２軸受部
４４…蓋材  ４５…伸縮部材  ４６…シール部
４８…嵌着筒部  ５０…環状基部  ５２…スリット  ５４…上側突起部
６０…閉塞具  ６２…閉塞板部  ６３…掛止片
６４…植毛部  ６６…閉塞筒部  ６７…係合子  
６８…連結板  ７０…第２軸部
７４…栓体  ７６…栓筒部  ７８…外向きフランジ  ８０…プルリング
９０…多孔質材料
Ｂ…邪魔手段  Ｆ…脚部  
１００…パフ  １０２…詰め替え容器
【図１】
0006508708.tif 000002
【図２】
0006508708.tif 000003
【図３】
0006508708.tif 000004
【図４】
0006508708.tif 000005
【図５】
0006508708.tif 000006
【図６】
0006508708.tif 000007
【図７】
0006508708.tif 000008
【図８】
0006508708.tif 000009
【図９】
0006508708.tif 000010
【図１０】
0006508708.tif 000011
【図１１】
0006508708.tif 000012
【図１２】
0006508708.tif 000013
【図１３】
0006508708.tif 000014